【手続補正書】
【提出日】平成27年3月19日(2015.3.19)
【手続補正１】
【補正対象書類名】特許請求の範囲
【補正対象項目名】全文
【補正方法】変更
【補正の内容】
【特許請求の範囲】
【請求項１】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第１基地局を経由して前記ユーザ装置と前記ゲートウェイ装置とにユーザプレーン経路が確立されている場合に、
前記第１基地局は、前記ユーザ装置から受信した、前記第２基地局が送信する電波に関する測定報告メッセージに基づき、前記ユーザ装置を前記第２基地局へユーザプレーンについてハンドオーバさせるべきか否かを判定し、
ユーザプレーンについてハンドオーバさせるべきと判定したときに、
前記第１基地局は、前記ユーザ装置を前記第２基地局にハンドオーバさせることを要求するハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記第２基地局の識別情報を含み、前記第１基地局を経由して前記ユーザ装置と前記ゲートウェイ装置とに確立された１つのユーザプレーン経路を前記第２基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記１つのユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信する
無線通信システム。
【請求項２】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第１基地局を経由して前記ユーザ装置と前記ゲートウェイ装置とにユーザプレーン経路が確立されている場合に、
前記第１基地局は、前記ユーザ装置から受信した、前記第２基地局が送信する電波に関する測定報告メッセージに基づき、前記ユーザ装置を前記第２基地局へユーザプレーンについてハンドオーバさせるべきか否かを判定し、
ユーザプレーンについてハンドオーバさせるべきと判定したときに、
前記第１基地局は、前記ユーザ装置を前記第２基地局にハンドオーバさせることを要求するハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記第２基地局を制御して、前記第１基地局を経由して前記ユーザ装置と前記ゲートウェイ装置とに確立された１つのユーザプレーン経路を前記第２基地局を経由するように変更することを要求する経路変更要求メッセージを前記交換局に送信させ、
前記交換局は、前記第２基地局から受信した前記経路変更要求メッセージを、前記ゲートウェイ装置に送信し、
前記ゲートウェイ装置は、前記交換局から受信した前記経路変更要求メッセージに基づいて、前記１つのユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第２基地局に送信し、
前記第２基地局は、前記経路変更要求確認応答メッセージを受信すると、経路変更が完了したことを示すメッセージを前記第１基地局に送信する
無線通信システム。
【請求項３】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第１基地局が送信する電波に関する測定報告メッセージに基づき、前記ユーザ装置を前記第１基地局へユーザプレーンについてハンドオーバさせるべきか否かを判定し、
ユーザプレーンについてハンドオーバさせるべきと判定したときに、
前記第１基地局は、前記ユーザ装置を前記第１基地局にハンドオーバさせることを要求するハンドオーバ要求メッセージを前記第２基地局に送信し、
前記第１基地局は、前記第１基地局と前記ユーザ装置とに無線ベアラを確立することを指示する無線接続再設定メッセージを前記ユーザ装置に送信し、
前記ユーザ装置は、前記無線接続再設定メッセージに従って、前記第１基地局への無線ベアラを確立するように当該ユーザ装置を設定した後、無線接続再設定完了メッセージを前記第１基地局に送信し、
前記第１基地局は、前記第１基地局の識別情報を含み、前記第２基地局を経由して前記ユーザ装置と前記ゲートウェイ装置とに確立された１つのユーザプレーン経路を前記第１基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記１つのユーザプレーン経路が前記第１基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記第２基地局を介して確立されていた前記１つのユーザプレーン経路に関する情報を削除することを指示するコンテキスト解放メッセージを前記第２基地局に送信し、
前記第２基地局は、当該第２基地局を介して確立されていた前記１つのユーザプレーン経路に関する情報を削除する
無線通信システム。
【請求項４】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局および第３基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第３基地局が送信する電波に関する測定報告メッセージに基づき、前記ユーザ装置を前記第３基地局にユーザプレーンについてハンドオーバさせるべきか否かを判定し、
ユーザプレーンについてハンドオーバさせるべきと判定したときに、
前記第１基地局は、前記ユーザ装置が無線接続中の前記第２基地局の識別情報を含み、前記ユーザ装置を前記第３基地局にハンドオーバさせることを要求する、第３基地局に対するハンドオーバ要求メッセージを前記第３基地局に送信し、
前記第３基地局は、前記第３基地局に対するハンドオーバ要求メッセージを受信すると、前記ユーザ装置を前記第３基地局にハンドオーバさせることを要求する、第２基地局に対するハンドオーバ要求メッセージを前記第２基地局に送信し、
前記第２基地局は、前記第２基地局に対するハンドオーバ要求メッセージを受信すると、第３基地局に対するハンドオーバ要求確認応答メッセージを前記第３基地局に送信し、
前記第３基地局は、前記第３基地局に対するハンドオーバ要求確認応答メッセージを受信すると、第１基地局に対するハンドオーバ要求確認応答メッセージを前記第１基地局に送信し、
前記第１基地局は、前記第１基地局に対するハンドオーバ要求確認応答メッセージを受信すると、前記第３基地局と前記ユーザ装置とに無線ベアラを確立することを指示する無線接続再設定メッセージを前記ユーザ装置に送信し、
前記ユーザ装置は、前記無線接続再設定メッセージに従って、前記第３基地局への無線ベアラを確立するように当該ユーザ装置を設定した後、無線接続再設定完了メッセージを前記第１基地局に送信し、
前記第１基地局は、前記第３基地局の識別情報を含み、前記第２基地局を経由して前記ユーザ装置と前記ゲートウェイ装置とに確立された１つのユーザプレーン経路を前記第３基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記１つのユーザプレーン経路が前記第３基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記交換局から受信した前記経路変更要求確認応答メッセージを前記第２基地局に送信し、
前記第２基地局は、当該第２基地局を介して確立されていた前記１つのユーザプレーン経路に関する情報を削除する
無線通信システム。
【請求項５】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局および第３基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第３基地局が送信する電波に関する測定報告メッセージに基づき、前記ユーザ装置を前記第３基地局にユーザプレーンについてハンドオーバさせるべきか否かを判定し、
ユーザプレーンについてハンドオーバさせるべきと判定したときに、
前記第１基地局は、前記ユーザ装置が無線接続中の前記第２基地局の識別情報および前記ゲートウェイ装置の識別情報を含み、前記ユーザ装置を前記第３基地局にハンドオーバさせることを要求する、第３基地局に対するハンドオーバ要求メッセージを前記第３基地局に送信し、
前記第３基地局は、前記第３基地局に対するハンドオーバ要求メッセージを受信すると、ハンドオーバ要求確認応答メッセージを前記第１基地局に送信し、
前記第１基地局は、前記第３基地局からの前記ハンドオーバ要求確認応答メッセージを受信すると、第２基地局に対するハンドオーバ要求メッセージを前記第２基地局に送信し、
前記第１基地局は、前記第３基地局と前記ユーザ装置とに無線ベアラを確立することを指示する無線接続再設定メッセージを前記ユーザ装置に送信し、
前記ユーザ装置は、前記無線接続再設定メッセージに従って、前記第３基地局への無線ベアラを確立するように当該ユーザ装置を設定した後、無線接続再設定完了メッセージを前記第１基地局に送信し、
前記第１基地局は、前記第３基地局の識別情報を含み、前記第２基地局を経由して前記ユーザ装置と前記ゲートウェイ装置とに確立された１つのユーザプレーン経路を前記第３基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記１つのユーザプレーン経路が前記第３基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記交換局から受信した前記経路変更要求確認応答メッセージを前記第２基地局に送信し、
前記第２基地局は、当該第２基地局を介して確立されていた前記１つのユーザプレーン経路に関する情報を削除する
無線通信システム。
【請求項６】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局および第３基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路が確立されている場合に、
前記第１基地局は、前記ユーザ装置から受信した、前記第３基地局が送信する電波に関する測定報告メッセージに基づき、前記ユーザ装置を前記第３基地局にユーザプレーンについてハンドオーバさせるべきか否かを判定し、
ユーザプレーンについてハンドオーバさせるべきと判定したときに、
前記第１基地局は、前記第３基地局の識別情報を含み、前記ユーザ装置を前記第３基地局にハンドオーバさせることを要求する、第２基地局に対するハンドオーバ要求メッセージを前記第２基地局に送信し、
前記第２基地局は、前記第２基地局に対するハンドオーバ要求メッセージを受信すると、前記ゲートウェイ装置の識別情報を含み、前記ユーザ装置を前記第３基地局にハンドオーバさせることを要求する、第３基地局に対するハンドオーバ要求メッセージを前記第３基地局に送信し、
前記第３基地局は、前記第３基地局に対するハンドオーバ要求メッセージを受信すると、第２基地局に対するハンドオーバ要求確認応答メッセージを前記第２基地局に送信し、
前記第２基地局は、前記第２基地局に対するハンドオーバ要求確認応答メッセージを受信すると、第１基地局に対するハンドオーバ要求確認応答メッセージを前記第１基地局に送信し、
前記第１基地局は、前記第１基地局に対するハンドオーバ要求確認応答メッセージを受信すると、前記第３基地局と前記ユーザ装置とに無線ベアラを確立することを指示する無線接続再設定メッセージを前記ユーザ装置に送信し、
前記ユーザ装置は、前記無線接続再設定メッセージに従って、前記第３基地局への無線ベアラを確立するように当該ユーザ装置を設定した後、無線接続再設定完了メッセージを前記第１基地局に送信し、
前記第１基地局は、前記第３基地局の識別情報を含み、前記第２基地局を経由して前記ユーザ装置と前記ゲートウェイ装置とに確立された１つのユーザプレーン経路を前記第３基地局を経由するように変更することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記１つのユーザプレーン経路が前記第３基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、
前記第１基地局は、前記交換局から受信した前記経路変更要求確認応答メッセージを前記第２基地局に送信し、
前記第２基地局は、当該第２基地局を介して確立されていた前記１つのユーザプレーン経路に関する情報を削除する
無線通信システム。
【請求項７】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記ゲートウェイ装置の識別情報を含む初期コンテキスト設定要求メッセージを前記第２基地局に送信し、
前記第２基地局は、前記初期コンテキスト設定要求メッセージを受信すると、当該第２基地局の識別情報を含む初期コンテキスト設定応答メッセージを前記第１基地局に送信し、
前記第１基地局は、前記初期コンテキスト設定応答メッセージを受信すると、前記第２基地局の識別情報を含むベアラ確立応答メッセージを前記交換局に送信し、
前記交換局は、前記ベアラ確立応答メッセージを受信すると、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【請求項８】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記ゲートウェイ装置の識別情報を含むハンドオーバ要求メッセージを前記第２基地局に送信し、
前記第２基地局は、前記ハンドオーバ要求メッセージを受信すると、ハンドオーバ要求確認応答メッセージを前記第１基地局に送信し、
前記第１基地局は、前記ハンドオーバ要求確認応答メッセージを受信すると、当該第１基地局の識別情報を含むベアラ確立応答メッセージを前記交換局に送信し、その後、前記第２基地局を経由して前記ユーザ装置と前記ゲートウェイ装置とにユーザプレーン経路を確立することを要求する経路変更要求メッセージを前記交換局に送信し、
前記交換局は、前記第１基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第１基地局に送信し、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【請求項９】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記ゲートウェイ装置の識別情報を含むハンドオーバ要求メッセージを前記第２基地局に送信し、
前記第２基地局は、前記ハンドオーバ要求メッセージを受信すると、ハンドオーバ要求確認応答メッセージを前記第１基地局に送信し、その後、前記第２基地局を経由して前記ユーザ装置と前記ゲートウェイ装置とにユーザプレーン経路を確立することを要求する経路変更要求メッセージを前記交換局に送信し、
前記第１基地局は、前記ハンドオーバ要求確認応答メッセージを受信すると、当該第１基地局の識別情報を含むベアラ確立応答メッセージを前記交換局に送信し、
前記交換局は、前記第２基地局から受信した前記経路変更要求メッセージを前記ゲートウェイ装置に送信し、
前記ゲートウェイ装置は、前記交換局から受信した前記経路変更要求メッセージに基づいて、前記ユーザプレーン経路が前記第２基地局を経由するように当該ゲートウェイ装置を設定した後、経路変更要求確認応答メッセージを前記交換局に送信し、
前記交換局は、前記ゲートウェイ装置から受信した前記経路変更要求確認応答メッセージを前記第２基地局に送信し、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【請求項１０】
ユーザ装置と、
前記ユーザ装置の無線リソース制御を、当該ユーザ装置とに確立された論理経路である制御プレーン経路を介して実行可能な第１基地局と、
前記ユーザ装置の無線リソース制御を実行しない第２基地局と
を含む複数の基地局と、
ゲートウェイ装置と、
前記ユーザ装置と前記ゲートウェイ装置とに確立される論理経路であるユーザプレーン経路を制御する交換局と
を備え、
前記第２基地局を経由して前記ユーザ装置と前記ゲートウェイ装置とにユーザプレーン経路を確立する際に、
前記ユーザ装置は、前記ユーザプレーン経路の確立を要求するメッセージを前記交換局に送信し、
前記交換局は、前記ユーザ装置からの前記メッセージに応じて、前記ゲートウェイ装置と前記第２基地局とを論理的に接続することを要求するセッション確立要求メッセージを前記ゲートウェイ装置に送信し、
前記ゲートウェイ装置は、前記セッション確立要求メッセージを受信すると、当該ゲートウェイ装置の識別情報を含むセッション確立応答メッセージを前記交換局に送信し、
前記交換局は、前記セッション確立応答メッセージを受信すると、前記ゲートウェイ装置の識別情報を含むベアラ確立要求メッセージを前記第１基地局に送信し、
前記第１基地局は、前記ベアラ確立要求メッセージを受信すると、前記第２基地局の識別情報を含み、前記第２基地局を経由して前記ユーザ装置と前記ゲートウェイ装置とに前記ユーザプレーン経路を確立することを指示する、ベアラリダイレクトメッセージを前記交換局に送信し、
前記交換局は、前記ベアラリダイレクトメッセージを受信すると、前記ゲートウェイ装置の識別情報を含む初期コンテキスト設定要求メッセージを前記第２基地局に送信し、
前記第２基地局は、前記初期コンテキスト設定要求メッセージを受信すると、初期コンテキスト設定応答メッセージを前記交換局に送信し、
前記交換局は、コンテキスト設定要求メッセージを前記第１基地局に送信し、
前記第１基地局は、前記コンテキスト設定要求メッセージを受信すると、前記第２基地局と前記ユーザ装置とに無線ベアラを確立することを指示する無線接続再設定メッセージを前記ユーザ装置に送信し、
前記ユーザ装置は、前記無線接続再設定メッセージに従って、前記第２基地局への無線ベアラを確立するように当該ユーザ装置を設定した後、無線接続再設定完了メッセージを前記第１基地局に送信し、
前記第１基地局は、前記無線接続再設定完了メッセージを受信すると、コンテキスト設定完了メッセージを前記交換局に送信する
無線通信システム。
【手続補正２】
【補正対象書類名】明細書
【補正対象項目名】００６３
【補正方法】変更
【補正の内容】
【００６３】
制御部１２０は、通信制御部１２２とデータ送受信部１２４とを備える。通信制御部１２２は、ユーザ装置ＵＥと各基地局（第１基地局ｅＮＢ、第２基地局ＰｈＮＢ）との通信を制御する要素であり、無線通信部１１０を介して各基地局と制御信号（制御メッセージ）を送受信する。すなわち、通信制御部１２２はＣプレーン上の通信を実行する。例えば、通信制御部１２２は、前述のように、受信したRRC Connection Reconfigurationメッセージに基づいて、新たな接続先基地局に対して無線ベアラＲＢを確立するように無線通信部１１０及びデータ送受信部１２４を設定した後、RRC Connection Reconfiguration Completeメッセージを送信する。また、通信制御部１２２は、各基地局から受信した電波の受信電力を測定し、受信電力を示す情報を搭載したMeasurement Reportメッセージを生成して、第１基地局ｅＮＢに送信する。データ送受信部１２４は、確立されたベアラを用いて、無線通信部１１０を介して各基地局とデータ信号を送受信する。すなわち、データ送受信部１２４はＵプレーン上の通信を実行する。
【手続補正３】
【補正対象書類名】明細書
【補正対象項目名】００６４
【補正方法】変更
【補正の内容】
【００６４】
制御部１２０並びに制御部１２０に含まれる通信制御部１２２及びデータ送受信部１２４は、ユーザ装置ＵＥ内の不図示のＣＰＵ（Central Processing Unit）が、記憶部１３０に記憶されたコンピュータプログラムを実行し、そのコンピュータプログラムに従って機能することにより実現される機能ブロックである。
【手続補正４】
【補正対象書類名】明細書
【補正対象項目名】００８２
【補正方法】変更
【補正の内容】
【００８２】
ステップS122の判定後、第１基地局ｅＮＢは、ユーザ装置ＵＥを第１基地局ｅＮＢにハンドオーバさせることを要求するHandover Requestメッセージを、Ｘ３インタフェースを介して第２基地局ＰｈＮＢに送信する（S142）。Handover Requestメッセージを受信すると、第２基地局ＰｈＮＢは、Handover Request Ackメッセージを、Ｘ３インタフェースを介して第１基地局ｅＮＢに送信する（S162）。
【手続補正５】
【補正対象書類名】明細書
【補正対象項目名】００９５
【補正方法】変更
【補正の内容】
【００９５】
ユーザ装置ＵＥは、Ｃプレーン経路を介して第１基地局ｅＮＢにMeasurement Reportメッセージを送信する（S104）。第１基地局ｅＮＢは、受信したMeasurement Reportメッセージが示す基地局（第２基地局ＰｈＮＢ−Ｓ、第３基地局ＰｈＮＢ−Ｔ等）からの受信電力に基づいて、ユーザ装置ＵＥをハンドオーバさせるべきか否かを判定する（S124）。この例では、ユーザ装置ＵＥを第２基地局ＰｈＮＢ−Ｓから第３基地局ＰｈＮＢ−Ｔへハンドオーバさせるべきと判定されたと想定する。すなわち、第２基地局ＰｈＮＢ−Ｓがソース基地局であり、第３基地局ＰｈＮＢ−Ｔがターゲット基地局である。
【手続補正６】
【補正対象書類名】明細書
【補正対象項目名】０１２６
【補正方法】変更
【補正の内容】
【０１２６】
なお、以上のステップS482で送信されるHandover Requestメッセージは、Initial Context Setup Requestメッセージであってもよい。また、以上のステップS502で送信されるHandover Request Ackメッセージは、Initial Context Setup Responseメッセージであってもよい。
【手続補正７】
【補正対象書類名】明細書
【補正対象項目名】０１２７
【補正方法】変更
【補正の内容】
【０１２７】
（５）２．  本実施形態のＵプレーン確立の変形例
以上の実施形態（図１７）では、第１基地局ｅＮＢがPath Switch Requestメッセージを送信する。図１８に示すように、第２基地局ＰｈＮＢがPath Switch Requestメッセージを送信する構成も採用可能である。この変形例（図１８）において、ステップS402からS502、およびステップS622からS702は、図１７の実施形態のステップS402からS502、およびステップS642からS702と同様である。また、この変形例においては、交換局ＭＭＥと第２基地局ＰｈＮＢとの間にＣプレーンのインタフェース（Ｓ１−ＭＭＥインタフェース）が存在する図２の無線通信システムＣＳの構成が採用される。
【手続補正８】
【補正対象書類名】図面
【補正対象項目名】図１５
【補正方法】変更
【補正の内容】
【図１５】
2014007499.tif 000001